【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
a)  a)及びb)の重量に基づき20〜90重量％の、２個以上の反応性シラン基及び１個以上のポリエーテルセグメントを含有するポリエーテルウレタンであって、ここで、
ポリエーテルセグメントは、少なくとも3000の数平均分子量及び0.04ミリ当量/g未満の不飽和度を有し、但し、１分子当たりの全ポリエーテルセグメントの数平均分子量の和は平均して6000〜20,000となり、かつ、
反応性シラン基は、イソシアネート基と式：
【化１】
2007510764.tif 000001
〔式中、
Xは、100℃以下でイソシアネート基に対し不活性な同じまたは異なる有機基を表し、但し、これらの基の少なくとも２つはアルコキシ又はアシルオキシ基であり、
Yは、1〜8個の炭素原子を含有する直鎖又は分枝状アルキレン基を表す。〕
で示される化合物との反応生成物として組み込まれている、ポリエーテルウレタン、
及び
b)  a)及びb)の重量に基づき10〜80重量％の、１個の反応性シラン基及び1000〜15,000の数平均分子量を有する１個以上のポリエーテルセグメントを含有するポリエーテルウレタンであって、ここで、
反応性シラン基は、イソシアネート基と式：
【化２】
2007510764.tif 000002
〔式中、
R1は、100℃以下の温度でイソシアネート基に対し不活性な有機基を表す。〕
で示される化合物との反応物として組み込まれている、ポリエーテルウレタン、
を含んでなる、湿気硬化性アルコキシシラン官能性ポリエーテルウレタン。
【請求項２】
Xは、同じまたは異なる、1〜4個の炭素原子を有するアルコキシ基を表し、
Yは、2〜4個の炭素原子を含有する直鎖基又は5〜6個の炭素原子を含有する分枝基を表し、
R1は、1〜12個の炭素原子を有するアルキル、シクロアルキル又は芳香族基を表す、
請求項１に記載のポリエーテルウレタン。
【請求項３】
成分b)の反応性シラン基は、イソシアネート基と式：
【化３】
2007510764.tif 000003
〔式中、
R2及びR5は、同じまたは異なる、100℃以下の温度でイソシアネート基に対し不活性な有機基を表し、
R3及びR4は、同じまたは異なる、水素又は100℃以下の温度でイソシアネート基に対し不活性な有機基を表す。〕
で示される化合物との反応生成物として組み込まれている、請求項１に記載のポリエーテルウレタン。
【請求項４】
成分b)の反応性シラン基は、イソシアネート基と式：
【化４】
2007510764.tif 000004
〔式中、
Xは、同じまたは異なる、1〜4個の炭素原子を有するアルキル又はアルコキシ基を表し、
Yは、2〜4個の炭素原子を含有する直鎖基又は5〜6個の炭素原子を含有する分枝基を表し、
R2及びR5は、同じまたは異なる、1〜4個の炭素原子を有するアルキル基を表し、
R3及びR4は、水素を表す。〕
で示される化合物との反応生成物として組み込まれている、請求項１に記載のポリエーテルウレタン。
【請求項５】
ポリエーテルウレタンa)は30〜80重量の量で存在し、ポリエーテルウレタンb)は20〜70重量％の量で存在する（ここで、％はa)及びb)の重量に基づく）、請求項１〜４のいずれかに記載のポリエーテルウレタン。
【請求項６】
ポリエーテルウレタンa)のポリエーテルセグメントは少なくとも6000の数平均分子量を有し、成分b)のポリエーテルセグメントは3000〜12,000の数平均分子量を有する、請求項１〜５のいずれかに記載のポリエーテルウレタン。
【請求項７】
請求項１に記載の湿気硬化性アルコキシシラン官能性ポリエーテルウレタンを含有する、シーリング材、接着剤又は被覆組成物。
【手続補正２】
【補正対象書類名】明細書
【補正対象項目名】００１４
【補正方法】変更
【補正の内容】
【００１４】
本発明は、
a)  a)及びb)の重量に基づき20〜90重量％の、２個以上の反応性シラン基及び１個以上のポリエーテルセグメントを含有するポリエーテルウレタンであって、ここで、
ポリエーテルセグメントは、少なくとも3000の数平均分子量及び0.04ミリ当量/g未満の不飽和度を有し、但し、１分子当たりの全ポリエーテルセグメントの数平均分子量の和は平均して6000〜20,000となり、かつ、
反応性シラン基は、イソシアネート基と式：
【化１】
2007510764.tif 000005
〔式中、
Xは、100℃以下でイソシアネート基に対し不活性な同じまたは異なる有機基を表し、但し、これらの基の少なくとも２つはアルコキシ又はアシルオキシ基であり、
Yは、1〜8個の炭素原子を含有する直鎖又は分枝状アルキレン基を表す。〕
で示される化合物との反応生成物として組み込まれている、ポリエーテルウレタン、
及び
b)  a)及びb)の重量に基づき10〜80重量％の、１個の反応性シラン基及び1000〜15,000の数平均分子量を有する１個以上のポリエーテルセグメントを含有するポリエーテルウレタンであって、ここで、
反応性シラン基は、イソシアネート基と式：
【化２】
2007510764.tif 000006
〔式中、
R1は、100℃以下の温度でイソシアネート基に対し不活性な有機基を表す。〕
で示される化合物との反応物として組み込まれている、ポリエーテルウレタン、
を含んでなる、湿気硬化性アルコキシシラン官能性ポリエーテルウレタンに関する。
【手続補正３】
【補正対象書類名】明細書
【補正対象項目名】００４６
【補正方法】変更
【補正の内容】
【００４６】
ポリマーb)の製造において使用するための適当なイソシアネート反応性シランには、式：
【化４】
2007510764.tif 000007
〔式中、
X及びYは、上記に定義したものであり、
R1は、100℃以下の温度でイソシアネート基に対して不活性な有機基、好ましくは1〜12個の炭素原子を有するアルキル、シクロアルキル或いは芳香族基、より好ましくは1〜8個の炭素原子を有するアルキル、シクロアルキル或いは芳香族基を表す。〕
で示されるものが含まれる。
【手続補正４】
【補正対象書類名】明細書
【補正対象項目名】００８３
【補正方法】変更
【補正の内容】
【００８３】
本発明は、例示目的のために上記のように詳細に記載したが、その詳細は単にその目的のためだけであって、クレームによって限定され得ること以外は、本発明の精神および範囲から逸脱することなく、当該分野における熟練者によって変更が成され得るものと解されるべきである。
本明細書の開示は、少なくとも本発明に関する下記の態様を包含する。
〔１〕a)  a)及びb)の重量に基づき20〜90重量％の、２個以上の反応性シラン基及び１個以上のポリエーテルセグメントを含有するポリエーテルウレタンであって、ここで、
ポリエーテルセグメントは、少なくとも3000の数平均分子量及び0.04ミリ当量/g未満の不飽和度を有し、但し、１分子当たりの全ポリエーテルセグメントの数平均分子量の和は平均して6000〜20,000となり、かつ、
反応性シラン基は、イソシアネート基と式：
【化１】
2007510764.tif 000008
〔式中、
Xは、100℃以下でイソシアネート基に対し不活性な同じまたは異なる有機基を表し、但し、これらの基の少なくとも２つはアルコキシ又はアシルオキシ基であり、
Yは、1〜8個の炭素原子を含有する直鎖又は分枝状アルキレン基を表す。〕
で示される化合物との反応生成物として組み込まれている、ポリエーテルウレタン、
及び
b)  a)及びb)の重量に基づき10〜80重量％の、１個の反応性シラン基及び1000〜15,000の数平均分子量を有する１個以上のポリエーテルセグメントを含有するポリエーテルウレタンであって、ここで、
反応性シラン基は、イソシアネート基と式：
【化２】
2007510764.tif 000009
〔式中、
R1は、100℃以下の温度でイソシアネート基に対し不活性な有機基を表す。〕
で示される化合物との反応物として組み込まれている、ポリエーテルウレタン、
を含んでなる、湿気硬化性アルコキシシラン官能性ポリエーテルウレタン。
〔２〕Xは、同じまたは異なる、1〜4個の炭素原子を有するアルコキシ基を表し、
Yは、2〜4個の炭素原子を含有する直鎖基又は5〜6個の炭素原子を含有する分枝基を表し、
R1は、1〜12個の炭素原子を有するアルキル、シクロアルキル又は芳香族基を表す、
〔１〕に記載のポリエーテルウレタン。
〔３〕成分b)の反応性シラン基は、イソシアネート基と式：
【化３】
2007510764.tif 000010
〔式中、
R2及びR5は、同じまたは異なる、100℃以下の温度でイソシアネート基に対し不活性な有機基を表し、
R3及びR4は、同じまたは異なる、水素又は100℃以下の温度でイソシアネート基に対し不活性な有機基を表す。〕
で示される化合物との反応生成物として組み込まれている、〔１〕に記載のポリエーテルウレタン。
〔４〕成分b)の反応性シラン基は、イソシアネート基と式：
【化４】
2007510764.tif 000011
〔式中、
Xは、同じまたは異なる、1〜4個の炭素原子を有するアルキル又はアルコキシ基を表し、
Yは、2〜4個の炭素原子を含有する直鎖基又は5〜6個の炭素原子を含有する分枝基を表し、
R2及びR5は、同じまたは異なる、1〜4個の炭素原子を有するアルキル基を表し、
R3及びR4は、水素を表す。〕
で示される化合物との反応生成物として組み込まれている、〔１〕に記載のポリエーテルウレタン。
〔５〕ポリエーテルウレタンa)は30〜80重量の量で存在し、ポリエーテルウレタンb)は20〜70重量％の量で存在する（ここで、％はa)及びb)の重量に基づく）、〔１〕に記載のポリエーテルウレタン。
〔６〕ポリエーテルウレタンa)は30〜80重量の量で存在し、ポリエーテルウレタンb)は20〜70重量％の量で存在する（ここで、％はa)及びb)の重量に基づく）、〔２〕に記載のポリエーテルウレタン。
〔７〕ポリエーテルウレタンa)は30〜80重量の量で存在し、ポリエーテルウレタンb)は20〜70重量％の量で存在する（ここで、％はa)及びb)の重量に基づく）、〔３〕に記載のポリエーテルウレタン。
〔８〕ポリエーテルウレタンa)は30〜80重量の量で存在し、ポリエーテルウレタンb)は20〜70重量％の量で存在する（ここで、％はa)及びb)の重量に基づく）、〔４〕に記載のポリエーテルウレタン。
〔９〕ポリエーテルウレタンa)のポリエーテルセグメントは少なくとも6000の数平均分子量を有し、成分b)のポリエーテルセグメントは3000〜12,000の数平均分子量を有する、〔１〕に記載のポリエーテルウレタン。
〔１０〕ポリエーテルウレタンa)のポリエーテルセグメントは少なくとも6000の数平均分子量を有し、成分b)のポリエーテルセグメントは3000〜12,000の数平均分子量を有する、〔２〕に記載のポリエーテルウレタン。
〔１１〕ポリエーテルウレタンa)のポリエーテルセグメントは少なくとも6000の数平均分子量を有し、成分b)のポリエーテルセグメントは3000〜12,000の数平均分子量を有する、〔３〕に記載のポリエーテルウレタン。
〔１２〕ポリエーテルウレタンa)のポリエーテルセグメントは少なくとも6000の数平均分子量を有し、成分b)のポリエーテルセグメントは3000〜12,000の数平均分子量を有する、〔４〕に記載のポリエーテルウレタン。
〔１３〕ポリエーテルウレタンa)のポリエーテルセグメントは少なくとも6000の数平均分子量を有し、成分b)のポリエーテルセグメントは3000〜12,000の数平均分子量を有する、〔５〕に記載のポリエーテルウレタン。
〔１４〕ポリエーテルウレタンa)のポリエーテルセグメントは少なくとも6000の数平均分子量を有し、成分b)のポリエーテルセグメントは3000〜12,000の数平均分子量を有する、〔６〕に記載のポリエーテルウレタン。
〔１５〕ポリエーテルウレタンa)のポリエーテルセグメントは少なくとも6000の数平均分子量を有し、成分b)のポリエーテルセグメントは3000〜12,000の数平均分子量を有する、〔７〕に記載のポリエーテルウレタン。
〔１６〕ポリエーテルウレタンa)のポリエーテルセグメントは少なくとも6000の数平均分子量を有し、成分b)のポリエーテルセグメントは3000〜12,000の数平均分子量を有する、〔８〕に記載のポリエーテルウレタン。
〔１７〕〔１〕に記載の湿気硬化性アルコキシシラン官能性ポリエーテルウレタンを含有する、シーリング材、接着剤又は被覆組成物。